(57)【要約】      （修正有）【課題】地震、災害等で便所が使用できなくなった際に、屋外に点在しているマンホールを活用して用便が容易に行なえ、不使用時には面状に折り畳んで効率良く収納できるマンホール用便座装置を得る。【解決手段】上部後方に向かって延びる枠状の主フレーム４の上下中間部に、後下方に向かって延びる後部脚５を前後回動可能に連結し、主フレーム４の上下中間部と後部脚５の上部とに環状の座フレーム７を水平配置して回動可能に連結し、座フレーム７に環状の便座１０を載置するとともに該便座１０の後部を座フレーム７の後部に回動可能に連結し、座フレーム７に可撓性資材からなる筒状の便シュート１３を下方に向けて懸垂支持し、マンホール２５よりも広面積であってかつ中心部に便孔１６が形成されたベース板１５を設け、該ベース板１５に主フレーム４の下部を回動可能に連結するとともに、便シュート１３の下部を便孔１６に嵌合させる。【選択図】図１
2008161512.tif 000002
【特許請求の範囲】
【請求項１】
下部から上部後方に向かって延びる枠状の主フレーム（４）の上下中間部に、後下方に向かって延びる後部脚（５）を前後回動可能に連結し、前記主フレーム（４）の上下中間部と前記後部脚（５）の上部とに環状の座フレーム（７）を水平配置して回動可能に連結し、前記座フレーム（７）に環状の便座（１０）を載置するとともに該便座（１０）の後部を前記座フレーム（７）の後部に回動可能に連結し、前記便座（１０）を覆う便座カバー（１２）を設けるとともに該便座カバー（１２）の後部を前記便座（１０）の後部に回動可能に連結し、前記座フレーム（７）に可撓性資材からなる筒状の便シュート（１３）を下方に向けて懸垂支持し、マンホールよりも広面積であってかつ中心部に便孔（１６）が形成されたベース板（１５）を設け、該ベース板（１５）に前記主フレーム（４）の下部を回動可能に連結するとともに、前記便シュート（１３）の下部を前記便孔（１６）に嵌合させたことを特徴とするマンホール用便座装置。
【請求項２】
ベース板（１５）の便孔（１６）を下面側から開閉する開閉蓋（１９）を設け、該開閉蓋（１９）と便座カバー（１２）とを同期させて連結する連動具（２１）を設けたことを特徴とする請求項１記載のマンホール用便座装置。
【請求項３】
ベース板（１５）にマンホールと係脱可能な係合具（１８）を設けたことを特徴とする請求項１又は２記載のマンホール用便座装置。
【発明の詳細な説明】
【技術分野】
【０００１】
本発明は、屋外のマンホールを活用して用便が行なえるようにしたマンホール用便座装置に関するものである。
【背景技術】
【０００２】
従来の技術として特許文献１があった。即ち、折畳み式椅子の座部に取り付け穴を形成し、該取り付け穴にバケツ状の便槽を着脱可能に嵌合支持し、座部の上面に用便穴がくり抜かれた座面用基板を載置するとともに、該座面用基板を座部の前端部に上方に向けて揺動自在に連結し、前記座面用基板の上面に前記用便穴を覆うように座面用クッションを着脱自在に設けてなるポータブルトイレがあった。
【０００３】
前記特許文献１は、ベッドサイド、寝床、寝室等、便所以外の室内でトイレとして手軽に使用でき、また、不使用時には折り畳んで収納が容易となる。しかしながら、排泄物を座部に取り付けた便槽で受けるため、該便槽で受けた排泄物の異臭が周囲に洩れ、環境を損ねることになる。また、便槽で受けた排泄物の処理、該処理した後の便槽の清掃に手数を要するものであった。
【特許文献１】特許第３４６５２２９号公報
【発明の開示】
【発明が解決しようとする課題】
【０００４】
本発明は、地震、災害等で便所が使用できなくなった非常時に、屋外に点在しているマンホールを活用して用便が容易に行なえ、不使用時には面状に折り畳んで防災小屋、倉庫等に効率良く収納できる新規なマンホール用便座装置を得ることを目的とする。
【課題を解決するための手段】
【０００５】
本発明は、前記目的を達成するために以下の如く構成したものである。即ち、請求項１に係る発明は、下部から上部後方に向かって延びる枠状の主フレームの上下中間部に、後下方に向かって延びる後部脚を前後回動可能に連結し、前記主フレームの上下中間部と前記後部脚の上部とに環状の座フレームを水平配置して回動可能に連結し、前記座フレームに環状の便座を載置するとともに該便座の後部を前記座フレームの後部に回動可能に連結し、前記便座を覆う便座カバーを設けるとともに該便座カバーの後部を前記便座の後部に回動可能に連結し、前記座フレームに可撓性資材からなる筒状の便シュートを下方に向けて懸垂支持し、マンホールよりも広面積であってかつ中心部に便孔が形成されたベース板を設け、該ベース板に前記主フレームの下部を回動可能に連結するとともに、前記便シュートの下部を前記便孔に嵌合させる構成にしたものである。
請求項２に係る発明は、前記ベース板の便孔を下面側から開閉する開閉蓋を設け、該開閉蓋と便座カバーとを同期させて連結する連動具を設けたものである。
請求項３に係る発明は、前記ベース板にマンホールと係脱可能な係合具を設けたものである。
【発明の効果】
【０００６】
本発明の請求項１に係る発明は、蓋を除去したマンホールにベース板を載置すると、便シュートの下部がマンホール内に臨むとともに、前記ベース板がマンホールの周囲を閉塞し、便座カバーが便シュートの周壁を介して前記マンホールの中心部を閉塞する。この状態で便座カバーを開き、便座に腰掛けて排便すると、便が便シュートを通過して前記マンホール内に落下する。また、男性が前記便座カバー及び便座を開いて小便すると、該小便が便シュートに案内されてマンホール内に流下する。このため、排泄物の処理が不要になるとともに、排泄物の異臭が外部に放散しなくなり、環境を損ねることがなくなる。
【０００７】
次に、マンホール用便座装置を防災小屋、倉庫等に収納する際には、座フレーム、便座及び便座カバーを上方に回動させるとともに、後部脚を前方に回動させると、これらが主フレームに沿って重なる。この状態で主フレームをその下部を中心として後方に回動させると、該主フレームがベース板に重なる。また、便シュートをベース板に沿って面状に変形させる。これにより、マンホール用便座装置が面状に折り畳まれ、これを防災小屋、倉庫等に小スペースで収納することができる。
【０００８】
本発明の請求項２に係る発明は、便座カバーを開く方向に回動させると、開閉蓋が連動具を介して開作動され、これにより用便が可能となる。また、前記便座カバーを閉じる方向に回動させると、開閉蓋が連動具を介して閉作動される。これにより、マンホール内の臭気の漏洩が防止される。
【０００９】
本発明の請求項３に係る発明は、ベース板が係合具によってマンホールに係合されるので、ベース板が風、振動等の外部負荷によってマンホールから不用意に離脱することがなくなり、安全性が高くなる。
【発明を実施するための最良の形態】
【００１０】
以下本発明の実施例を図面に基づいて説明する。図において、図１はマンホールへの取り付け状態を示す断面図、図２はベース板の平面図、図３は拡開した便座本体部の斜視図、図４は図３の右側面図、図５はテントによる包囲状態を示す斜視図である。
【００１１】
図１〜図４において、１はマンホール用便座装置であり、便座本体部２、及びベース板１５を主要部として構成される。便座本体部２は図１、図３、図４に示すように、金属パイプ製の折畳みフレーム３に便座１０、便座カバー１２、及び便シュート１３を取り付けてなる。前記折畳みフレーム３は、パイプ材を折り曲げて上下に長い長方形状の主フレーム４を形成し、該主フレーム４の左右杆４ａの上下中間部に左右一対の棒状の後部脚５を、リンク６を介して前後（図４において左右）回動可能に連結する。即ち、主フレーム４とリンク６の前端部、及び該リンク６の後端部と後部脚５の上端部とを、左右に配置した水平ピンＰ１，Ｐ２によりそれぞれ回動可能に連結する。なお、前記後部脚５はパイプ材をＵ形に折り曲げ、その左右上端部を、前記リンク６を介して主フレーム４に回動可能に連結するようにしてもよい。
【００１２】
また、パイプ材を折り曲げて長方形状の座フレーム７を形成し、該座フレーム７を水平配置して前記主フレーム４の上下中間部と前記後部脚５の上部とに、前記水平ピンＰ１、Ｐ２の下方に位置する左右の水平ピンＰ１、Ｐ２により回動可能に連結する。これにより、前記座フレーム７を、水平ピン３を中心として上方に回動させ、主フレーム４の上部側に重ねると、前記後部脚５が水平ピンＰ４を中心として前方に回動し、主フレーム４の下部側に重なるようにする。
【００１３】
前記座フレーム７に環状の便座１０を載置し、該便座１０の後部を左右の水平ピンＰ５により前記座フレーム７の後部に回動可能に連結し、また、前記便座１０の上部に便座カバー１２を載置し、該便座カバー１２の後部を前記水平ピンＰ５と略同軸の水平ピンにより前記便座１０の後部に回動可能に連結する。
【００１４】
前記座フレーム７に可撓性資材（例えば塩化ビニール）からなる筒状の便シュート１３を下方に向けて懸垂支持する。該便シュート１３は、図１に示すように、市販の便器形状に対応する如く、前部側から後部側の下部に向かって小径に絞り、下端部１３ａが後述するベース板１５の便孔１６に嵌合可能とする。
【００１５】
１５はベース板であり、前記便座本体部２を支持するとともに、マンホール２５を閉塞するものある。該ベース板１５は厚さ約１５ｍｍのベニヤ板により形成されるもので、図２に示すように、前後幅Ｗ１が約１２００ｍｍ、左右幅Ｗ２が約９００ｍｍとなる長方形状とし、後端から約５５０ｍｍの位置で前後に２分割するとともに、両者を蝶番２２で折畳み可能に連結する。また、後部板１５ａに前後幅Ｌ１が約２５０ｍｍ、左右幅Ｌ２が約１５０ｍｍとなる楕円状の便孔１６を形成する。該便孔１６はベース板１５の中心から後部側に偏倚させる。本例では、便孔１６の中心がベース板１５の後端から約３７５ｍｍの位置となるようにする。
【００１６】
前記ベース板１５の中心部に前述した便座本体部２を前後に向けて載置するとともに、その主フレーム４の下部杆４ａを連結具８によりベース板１５に左右軸心を中心として回動可能に連結し、前記便座本体部２の便シュート１３の下端部１３ａを前記ベース板１５の便孔１６に嵌合させる。
【００１７】
前記ベース板１５の下面内周部に、マンホール２５の内周面に係合する４個のガイド１７を円周方向に配置して固定する。また、ベース板１５の外周部にマンホール２５の内周に対応する２個の係合具１８を取り付ける。該係合具１８は、マンホール２５の内周に形成されたリング状の鉤溝２６（図１）に係脱するもので、図１に示すように、ベース板１５に操作軸１８ａを貫通させ、上部の露出部に操作レバー１８ｂを固定し、下部の露出部にレバー形の第１係合爪１８ｃ，及び第２係合爪１８ｄを上下にずらせて固定する。
【００１８】
前記第１係合爪１８ｃ、第２係合爪１８ｄは、鉤溝２６の深さが異なるマンホールに対応させるもので、互いに円周方向に９０度位相をずらせて固定し、操作レバー１８ｂを基準点から一方に回動させると、第１係合爪１８ｃが浅い鉤溝２６を有する種類のマンホールに係合し、前記操作レバー１８ｂを基準点から他方に回動させると、第２係合爪１８ｄが深い鉤溝２６を有する種類のマンホールに係合するようになっている。
【００１９】
前記ベース板１５の下面に便孔１６と対面する開閉蓋１９を配置し、その後端部を蝶番２０によりベース板１５に回動可能に取り付ける。該開閉蓋１９は前記便孔１６よりも若干広面積にし、便孔６を下面から閉塞可能とする。前記開閉蓋１９と前述した便座カバー１２とをワイヤからなる連動具２１により連結する。即ち、連動具２１の下端を蝶番２０の前部側に位置する開閉蓋１９に連結し、該連動具２１の上端部を水平ピンＰ５の前部側に位置する便座カバー１２の後部上面に連結する。これにより、前記便座カバー１２を開閉させると、これと連動して開閉蓋１９が開閉するようにする。
【００２０】
前述した便座本体部２は、図５に示すように、テント３０により包囲する。該テント３０は、可撓性のシートをバネ線材により角錐状に保形し、前面３０ａをファスナー３１により開閉可能とし、左右側面の上部に通気性のネット３２を逢着してなる。３３はテント内に取り付けたトイレットペーパーである。前記テント３０は、その４隅部を棒状の留め具３４によりベース板１５に係脱可能に固定する。
【００２１】
前記実施例によれば、マンホール２５の蓋を除去し、該マンホール２５にベース板１５を載置し、係合具１８の操作レバー１８ｂを係合方向に操作すると、一方の係合爪、例えば第１係合爪１８ｃがマンホール２５の鍵溝２６に係合し、前記ベース板１５がマンホール２５に固定される。次いで、折畳みフレーム３の主フレーム４を下部杆を中心として上方に回動させるとともに、座フレーム７を水平ピンＰ３を中心として前方（水平）に回動させると、後部脚５が水平ピンＰ４を中心として後方に回動し、折畳みフレーム３が図１に示すように、ベース板１５上で椅子状に拡開する。
【００２２】
この状態で便座カバー１２を上方に開作動させると、開閉蓋１９が連動具２１を介して開作動され、これにより用便が可能となる。また、前記便座カバー１２を閉作動させると、前記開閉蓋１９が連動具２１を介して閉作動され、該開閉蓋１９によりマンホール２５内の臭気が便座本体部２から外部に漏洩するのを防止する。
【００２３】
次に、マンホール用便座装置１を防災小屋、倉庫等に収納する際には、座フレーム７、便座１０及び便座カバー１２を上方に回動させるとともに、後部脚５を前方に回動させると、これらが主フレーム４に沿って重なる。この状態で主フレーム４をその下部を中心として後方に回動させると、該主フレーム４がベース板１５に重なり、これに伴って  便シュート１３がベース板１５に沿って面状に変形される。
【００２４】
次いで、係合具１８の操作レバー１８ｂを離脱方向に操作すると、前記第１係合爪１８ｃがマンホール２５の鍵溝２６から外れ、前記ベース板１５がマンホール２５から離脱する。次いで、前記ベース板１５を蝶番２０を介して前後に折り畳む。これにより、マンホール用便座装置１が面状に折り畳まれ、これを防災小屋、倉庫等に小スペースで収納することができる。
【図面の簡単な説明】
【００２５】
【図１】マンホールへの取り付け状態を示す断面図である。
【図２】ベース板の平面図である。
【図３】拡開した便座本体部の斜視図である。
【図４】図３の右側面図である。
【図５】テントによる包囲状態を示す斜視図である。
【符号の説明】
【００２６】
１    マンホール用便座装置
２    便座本体部
３    折畳みフレーム
４    主フレーム
４ａ  左右杆
４ｂ  下部杆
５    後部脚
６    リンク
７    座フレーム
８    連結具
１０    便座
１２    便座カバー
１３    便シュート
１３ａ  下端部
１５    ベース板
１６    便孔
１７    ガイド
１８    係合具
１８ａ  操作軸
１８ｂ  操作レバー
１８ｃ  第１係合爪
１８ｄ  第２係合爪
１９    開閉蓋
２０    蝶番
２１    連動具
２５    マンホール
２６    鉤溝
３０    テント
３０ａ  前面
３１    ファスナー
３２    ネット
３３    トイレットペーパー
３４    止め具
【図１】
2008161512.tif 000003
【図２】
2008161512.tif 000004
【図３】
2008161512.tif 000005
【図４】
2008161512.tif 000006
【図５】
2008161512.tif 000007